(57)【要約】【課題】来店者が自ら入力手段に自車に適合するワイパー部品に関連付けられているコードを入力するだけで、ランプによってそのワイパー部品が差し示されるようにする。【解決手段】ワイパー部品陳列手段に並べて陳列したワイパー部品５のそれぞれに対応する箇所に個別にランプ４を設置する。ワイパー部品対に関連付けされたコードを入力する入力手段２を有する。入力手段２に入力したコードによってワイパー部品対を特定し、そのワイパー部品対に含まれるワイパー部品５に対応したランプ４を点灯させるようにする。ワイパー部品対が、自動車フロントガラス用の運転席側ワイパー部品と助手席側ワイパー部品とを含む。【選択図】　　　　図１
0003097712.tif 000002
【実用新案登録請求の範囲】
【請求項１】
複数のワイパー部品の中から希望車種の自動車に適合するワイパー部品対を指定して選定する適合ワイパー部品の選定装置において、
上記ワイパー部品を並べて陳列したワイパー部品陳列手段と、
このワイパー部品陳列手段に並べて陳列されたワイパー部品のそれぞれに対応する箇所に個別に配備されていて、点灯することによって対応するワイパー部品を指し示すランプと、
上記ワイパー部品対に関連付けされたコードを入力する入力手段と、
この入力手段に入力されたコードによって特定されるワイパー部品対に含まれるワイパー部品に対応した上記ランプを点灯させるための制御部と、
を有することを特徴とする適合ワイパー部品の選定装置。
【請求項２】
上記ワイパー部品陳列手段は、異サイズのワイパー部品を横に並べて取外し可能に吊り下げるための吊下げピン列を備え、この吊下げピン列を形成している個々の吊下げピンの上側に個別に上記ランプが配備されている請求項１に記載した適合ワイパー部品の選定装置。
【請求項３】
上記ワイパー部品対に、少なくとも、自動車フロントガラス用の運転席側ワイパー部品と助手席側ワイパー部品とが含まれる請求項１又は請求項２に記載した適合ワイパー部品の選定装置。
【請求項４】
上記ワイパー部品対に、少なくとも、自動車フロントガラス用の運転席側ワイパー部品と助手席側ワイパー部品とが含まれ、ワイパー部品対を指し示して点灯するランプの色が、少なくとも、運転席側ワイパー部品と助手席側ワイパー部品とで異なっている請求項２に記載した適合ワイパー部品の選定装置。
【請求項５】
当該選定装置の構成要素のうち、上記入力手段と上記ランプとがワイパー部品販売店の店内に設置されていて、上記入力手段が、来店者によって操作可能なキーボードでなり、その入力手段の近傍に、車種名と車種に対応する上記コードを表示したコード検索表が配備されていると共に、上記入力手段と上記ランプとが同一のパネルに備わっており、上記ワイパー部品陳列手段に陳列されたワイパー部品が、上記パネルの下側に配備されている請求項１ないし請求項４のいずれか１項に記載した適合ワイパー部品の選定装置。
【考案の詳細な説明】
【０００１】
【考案の属する技術分野】
本考案は、適合ワイパー部品の選定装置、詳しくは、自動車のワイパー部品を販売する場合に、その販売店を訪れた来店者が、自己の自動車に適合するワイパー部品を多数のサイズの異なるワイパー部品の中から間違わずに容易に選び出して購入することのできるような工夫を講じた適合ワイパー部品の選定装置に関する。
【０００２】
【従来の技術】
従来、ワイパー部品の販売店では、陳列棚に非常に多くの異サイズのワイパー部品を陳列し、その陳列場所の近くに図６に示したワイパー部品適合表Ａを吊り下げていた。このワイパー部品適合表Ａでは、たとえば、五十音順に車種名を表示した表中に、車種名ごとに年式や型式を表示し、その年式や型式の車種に適合するワイパー部品の表示を付していた。また、この適合表では、ワイパー部品を運転席用と助手席用とに分けて表示してある。
【０００３】
ところで、一般的な自動車では、フロントガラスの運転席側と助手席側とに個別にワイパー部品が取り付けられていて、運転席側ワイパー部品と助手席側ワイパー部品とは同時期に交換されることが多い。そのため、ワイパー部品の販売店で来店者がワイパー部品を購入するときには、運転席側ワイパー部品と助手席側ワイパー部品とをワイパー部品対として同時に購入することが多いという傾向がある。
【０００４】
そこで、ワイパー部品の販売店を訪れた来店者は、図６のワイパー部品適合表Ａに表示されている自車の車種名を探し出した後、年式や型式を選び、その後で、自車に適合する運転席側ワイパー部品及び助手席側ワイパー部品のサイズ表示（図中にはａ，ｂなどのアルファベットで示してあるけれども、実際は長さ寸法などを表示している）を見てそれらのサイズを記憶し、その後で、陳列棚に陳列されている非常に多くのワイパー部品の中から目的のワイパー部品対を選び出すという作業を行っている。加えて、運転席側及び助手席側のワイパー部品の他に、リヤガラスのワイパー部品を併せて購入する場合もあり、そのときには、運転席側ワイパー部品及び助手席側ワイパー部品のサイズ表示と共に、リアガラス用のワイパー部品のサイズをも記憶してそれを陳列棚から選びだすという作業が必要になる。
【０００５】
【考案が解決しようとする課題】
しかしながら、来店者は図６のワイパー部品適合表Ａを見慣れていない場合がほとんどであるため、自車の車種名や年式あるいは型式に基づいて、自車に適合する運転席側、助手席側、リアガラス用などの各ワイパー部品のサイズを見つけ出すことが煩わしく、また、見つけ出せたとしても、それらのワイパー部品のサイズを記憶して多数のサイズの異なるワイパー部品が陳列されている陳列棚から選び出すという作業は、来店者にとってきわめて多大な負担を強いられることになっていた。
【０００６】
そこで、来店者が店員を呼び止めて車種などを告げ、その店員が図６のワイパー部品適合表Ａを見て適合するワイパー部品を選び出すということも行われるけれども、そのような店員によるサービスを十分に行おうとすれば、店員の人数を増やさざるを得なくなるので現実的でない。
【０００７】
本考案は以上の状況に鑑みてなされたものであり、自動車のワイパー部品を販売する場合に、来店者が、自車に適合するワイパー部品を多数のサイズの異なるワイパー部品の中から間違わずに容易に選び出して購入することのできるような工夫を講じた適合ワイパー部品の選定装置を提供することを目的とする。
【０００８】
【課題を解決するための手段】
本考案に係る適合ワイパー部品の選定装置は、複数のワイパー部品の中から希望自動車に適合するワイパー部品対を指定して選定する適合ワイパー部品の選定装置において、上記ワイパー部品を並べて陳列したワイパー部品陳列手段と、このワイパー部品陳列手段に並べて陳列されたワイパー部品のそれぞれに対応する箇所に個別に配備されていて、点灯することによって対応するワイパー部品を指し示すランプと、上記ワイパー部品対に関連付けされたコードを入力する入力手段と、この入力手段に入力されたコードによって特定されるワイパー部品対に含まれるワイパー部品に対応した上記ランプを点灯させるための制御部と、を有する。
【０００９】
この考案では、たとえば特定の年式あるいは型式の車種に適合する運転席側ワイパー部品と助手席側ワイパー部品とを含むワイパー部品対に所定のコードが関連付けられていて、そのコードを入力手段に入力すると、制御部の作用でワイパー部品陳列手段に並べて陳列されているワイパー部品に対応したランプが点灯する。そして、点灯したランプによって指し示されるワイパー部品は、入力手段に入力されたコードにより特定されるワイパー部品対に含まれるものである。したがって、来店者は、点灯したランプによって指し示されたワイパー部品が自車に適合するワイパー部品であることを容易に知ることができる。
【００１０】
本考案において、上記ワイパー部品陳列手段は、異サイズのワイパー部品を横に並べて取外し可能に吊り下げるための吊下げピン列を備え、この吊下げピン列を形成している個々の吊下げピンの上側に個別に上記ランプが配備されていることが望ましい。この構成であると、点灯したランプの下側に吊り下げられているワイパー部品が自車に適合していることを、来店者に容易に認識させることができる。
【００１１】
本考案では、上記ワイパー部品対に、少なくとも、自動車フロントガラス用の運転席側ワイパー部品と助手席側ワイパー部品とが含まれることが望ましい。これは、冒頭で説明したように、ワイパー部品の販売店で来店者がワイパー部品を購入するときには、運転席側ワイパー部品と助手席側ワイパー部品とをワイパー部品対として同時に購入することが多いという傾向があることによる。なお、上記「少なくとも」の文言は、ワイパー部品対が、運転席側ワイパー部品と助手席側ワイパー部品のほかに、リア側ワイパー部品を含んでいる場合を含める趣旨で使われている。
【００１２】
本考案では、上記ワイパー部品対に、少なくとも、自動車フロントガラス用の運転席側ワイパー部品と助手席側ワイパー部品とが含まれ、ワイパー部品対を指し示して点灯するランプの色が、少なくとも、運転席側ワイパー部品と助手席側ワイパー部品とで異なっている、という構成を採用することも可能である。これによれば、来店者は、自車に適合するワイパー部品対のうちの運転席側ワイパー部品だけ、あるいは助手席側ワイパー部品だけを、選定して購入することが容易になる。「少なくとも」の文言を使った趣旨は上記したところと同様である。
【００１３】
本考案では、当該選定装置の構成要素のうち、上記入力手段と上記ランプとがワイパー部品販売店の店内に設置されていて、上記入力手段が、来店者によって操作可能なキーボードでなり、その入力手段の近傍に、車種名と車種に対応する上記コードを表示したコード検索表が配備されていると共に、上記入力手段と上記ランプとが同一のパネルに備わっており、上記ワイパー部品陳列手段に陳列されたワイパー部品が、上記パネルの下側に配備されていることが望ましい。これによれば、来店者が自車に対応するコードをコード検索表を使って探し出し、そのコードを素早く入力手段に入力することができるという利便がある。
【００１４】
【考案の実施の形態】
図１は本考案の実施形態に係る適合ワイパー部品の選定装置を説明的に示した概略正面図、図２は入力手段及びコード表示手段のレイアウト例を示した概略正面図、図３はブロック図、図４はコード検索表を示した説明図、図５はコード表の説明図である。
【００１５】
図１において、１はキーボード２でなる入力手段と、ディスプレイでなるコード表示部３と、横に並べられた複数のランプ（たとえばＬＥＤランプ）４…とが備わっている矩形のパネルであり、このパネル１の下側に、図示していない陳列棚でなるワイパー部品陳列手段に陳列されたワイパー部品５が配備されている。陳列棚は、横に並んだ複数の吊下げピン６１でなる吊下げピン列６を備えているのに対し、ワイパー部品５は、台紙と透明なカバーとでなる縦長の包装に収容されていて、その包装を吊下げピン６１に吊り下げることによってパネル１の下側に配備されている。そして、同一の吊下げピン６１には同一サイズの複数のワイパー部品５が前後に重ねて吊り下げられ、異なる吊下げピン６１には異サイズのワイパー部品５が吊り下げられていて、来店者は、吊下げピン６１から必要数の包装を引き抜くことによって所望個数のワイパー部品５を吊下げピン６１から取り外すことができるようになっている。そして、個々のランプ４のそれぞれの下側に同一サイズのワイパー部品５が吊り下げられた吊下げピン６１が位置している。なお、同一サイズのワイパー部品５の数量が多いために１本の吊下げピン６１によっては全部の同一サイズのワイパー部品５を吊り下げることができない場合には、隣接する吊下げピン６１にも同一サイズのワイパー部品５を吊り下げ、それらの同一サイズのワイパー部品６１を吊り下げた吊下げピン６１を、１つのランプ４又は同時に点灯又は消灯する複数のランプ４の下側に位置させておくことも可能である。
【００１６】
図２のように、キーボード２は、「０」から「９」までの数値を入力するための入力キー２１と、入力キー２１で入力した数値を確定するための確定キー２２を備えている。また、図１のように、個々のランプ４には所定の符号、図例では「１」から「１１」までの符号が順に付されている。そして、図３で判るように、キーボード２とコード表示部３とが制御部７に接続されていて、キーボード２で入力された信号が制御部７で処理され、キーボード２に入力された数値がコード表示部３に表示されるようになっている。さらに、制御部７によって「１」から「１１」までの符号の付された個々のランプ４の点灯・消灯が個別に制御されるようになっている。
【００１７】
図４に示したコード検索表Ｂには、メーカごとに分けて、車種名とそれに対応する年式や型式が五十音順に表示されているほか、運転席側ワイパー部品と助手席側ワイパー部品とでなるワイパー部品対、又は、運転席側ワイパー部品と助手席側ワイパー部品とリア側ワイパー部品とでなるワイパー部品対に関連付けられたコードが表示されている。このコード検索表Ｂは、図１で説明したパネル１の近傍に吊り下げたり置いたりして配備される。そのため、来店者は、コード検索表Ｂを使って自車の車種名や年式、型式などを基にして、自車に適合するワイパー部品に対応するコードを容易に見つけ出すことができる。コードは、図示例示のようにたとえば１桁〜３桁の数字によって形成することができるほか、数字と記号との組み合わせ、記号のみ、絵記号などによっても形成することが可能であるけれども、数字と記号との組み合わせ、記号のみ、絵記号などによってコードを形成した場合には、キーボード２が数字、記号又は絵記号などの入力機能を有している必要がある。なお、キーボード２にはキャンセルキーを設けられているが、これは図示省略してある。
【００１８】
図４に示したように車種や年式あるいは型式に応じて、コードを「００１」「００２」「００３」…といった３桁の数字によって形成した場合、それらの個々のコードが、図５に示したように、運転席側ワイパー部品と助手席側ワイパー部品とでなるワイパー部品対、又は、運転席側ワイパー部品と助手席側ワイパー部品とリア側ワイパー部品とでなるワイパー部品対に関連付けられる。図５を参照して具体的に説明すると、コード「００１」には、サイズ「ａ」の運転席側ワイパー部品とサイズ「ｂ」の助手席側ワイパー部品とでなるワイパー部品対が関連付けられ、コード「００２」には、サイズ「ｃ」の運転席側ワイパー部品とサイズ「ａ」の助手席側ワイパー部品とでなるワイパー部品対が関連付けられ、コード「００３」には、サイズ「ｄ」の運転席側ワイパー部品とサイズ「ｅ」の助手席側ワイパー部品とサイズ「ｄ」のリア側ワイパー部品対が関連付けられている。このような個々のコードと特定のワイパー部品対との関連付けは、図３で説明した制御部７に備わっているメモリーに記憶されている。そして、キーボード２によって特定のコードが入力されると、そのコードを示す３桁の数値がコード表示部３に表示されると共に、入力されたコードに対応しているワイパー部品対を指し示すランプ４が点灯し、その他のランプ４は消灯したままになるように制御される。
【００１９】
上記した適合ワイパー部品の選定装置の構成要素のうち、キーボード２、コード表示部３及びランプ４を備えたパネル１は、ワイパー部品販売店内、たとえば自動車関連商品を販売するワイパー部品販売コーナなどに設置されるが、制御部７は同一店内であっても別の場所であっても、その制御部７の機能を果たし得る場所であればどこに設置されていてもよい。
以上のように構成された適合ワイパー部品の選定装置によると、ワイパー部品を購入する意図を持って訪れた来店者は、ワイパー部品販売コーナなどに立ち寄り、図４に示したコード検索表Ｂを見て自車の車種名又はその年式や型式に基づいて自車に適合するコードを調べ、そのコードをキーボード２を使って入力し、コード表示部３で表示されるコードに誤りがないかを確認した後、確定キー２２を押し下げる。コード表示部３で表示されるコードに誤りがあれば、キャンセルキーを押し下げてキャンセルした後、再度、コードを入力する。
【００２０】
確定キー２２の押下げ操作を行うと、制御部７の機能によって、入力されたコードに対応するワイパー部品の上側に配置されているランプ４が点灯し、その他のランプ４は消灯したままになっているので、その来店者は、点灯しているランプ４の下側に吊り下がっているワイパー部品５、すなわち点灯しているランプ４によって指し示されたワイパー部品５を吊下げピン６１から取り外し、それを購入することによって自車に適合したワイパー部品対を入手することができる。したがって、従来のように、運転席側、助手席側、リアガラス用などの各ワイパー部品のサイズを見つけ出してそれらを記憶し、その記憶に頼って多くのサイズのワイパー部品が陳列されている陳列棚から適合するワイパー部品を選び出すという多大な負担の強いられる作業を行う必要がない。
【００２１】
この実施形態では、キーボード２の隣接してコード表示部３を配備することにより、キーボード２で入力したコードが正しいか否かをそのコード表示部３の表示によって確認することができるようにしているけれども、そのような確認を行う必要がなければ、コード表示部３を省略することが可能である。
【００２２】
ところで、ワイパー部品の販売形態には、ワイパーフレームにゴムリフィールを取り付けて販売する形態、ゴムリフィールを取り付けていないワイパーフレームだけを販売する形態、ゴムリフィールだけを販売する形態、といった様々な販売形態があるけれども、それらのうちのどの販売形態を採る場合であっても、上記選定装置を好適に採用することが可能である。
【００２３】
この実施形態において、ランプ４の数を１１個にして個々のランプに「１」から「１１」までの符号を付してあるけれども（図１参照）、ランプ４に付する符号にはアルファベットなどを用いることも可能である。そして、個々のランプ４に付する符号を、図５で説明したコード表Ｃの運転席側ワイパー部品や助手席側ワイパー部品などを表す記号としてそのまま用いることも可能である。たとえば、図５のコード表Ｃの「ａ」を図１のランプ４に付した符号「１１」に置き換え、同コード表Ｃの「ｂ」を図１のランプ４に付した符号「８」に置き換えると、コード「００１」が関連付けられているワイパー部品対のうち、運転席側ワイパー部品は、符号「１１」を付したランプ４で指し示されるワイパー部品であり、助手席側ワイパー部品は、符号「８」を付したランプ４で指し示されるワイパー部品である、というような形態を採用することが可能になる。
【００２４】
また、制御部７に、運転席側ワイパー部品、助手席側ワイパー部品、リア側ワイパー部品のそれぞれを指し示すランプ４の色を異ならせる機能を付与しておくことも可能であり、そのようにしておくと、キーボード２によって入力されたコードに関連付けられているワイパー部品対がランプ４の点灯によって指し示されるだけでなく、ランプ４の色によって、指し示されたワイパー部品が、運転席側ワイパー部品であるか、助手席側ワイパー部品であるか、リア側ワイパー部品であるか、ということを来店者に知らせることが可能になる。そのため、来店者は、そのワイパー部品対に含まれるワイパー部品の全部が必要でないときには、ランプの色から必要なワイパー部品だけを選別して購入することができるという利便がある。
【００２５】
【考案の効果】
以上のように、本考案に係る適合ワイパー部品の選定装置によれば、来店者が自ら入力手段に自車に適合するワイパー部品に関連付けられているコードを入力するだけで、ランプによってそのワイパー部品が差し示されるので、来店者は、ワイパー部品のサイズを記憶したり、ワイパー部品から記憶したサイズに基いて多くの陳列されたワイパー部品の中から自車に適合したものを探し出すという負担なく、適合するワイパー部品を選定して購入することができるようになる。
【図面の簡単な説明】
【図１】本考案の実施形態に係る適合ワイパー部品の選定装置を説明的に示した概略正面図である。
【図２】入力手段及びコード表示手段のレイアウト例を示した概略正面図である。
【図３】ブロック図である。
【図４】コード検索表を示した説明図である。
【図５】コード表の説明図である。
【図６】ワイパー部品適合表の説明図である。
【符号の説明】
１　パネル
２　入力手段
４　ランプ
５　ワイパー部品
６　吊下げピン列
７　制御部
６１　吊下げピン
Ｂ　コード検索表
【図１】
0003097712.tif 000003
【図２】
0003097712.tif 000004
【図３】
0003097712.tif 000005
【図４】
0003097712.tif 000006
【図５】
0003097712.tif 000007
【図６】
0003097712.tif 000008